【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
チャネル状態を示すメトリックを決定するために、リソースの第１のセットに基づいて、第１の測定プロシージャを実行することと、
基地局から受信される情報に基づいて、前記チャネル状態を示す前記メトリックの測定を向上させるために使用するリソースの第２のセットを決定すること、ここにおいて、リソースの前記第２のセットが、前記第１の測定プロシージャ中のデータまたはシステム情報送信のために使用されるリソースを含む、と、
リソースの前記第２のセットと、１つまたは複数の測定パラメータとに少なくとも基づいて、第２の測定プロシージャを実行することと、
を備える、方法。
【請求項２】
前記１つまたは複数のメトリックが、基準信号受信電力（ＲＳＲＰ）測定、または経路損失測定のうちの少なくとも１つを備える、請求項１に記載の方法。
【請求項３】
１つまたは複数のトリガ条件に基づいて、前記測定プロシージャをいつ実行すべきかを決定することをさらに備え、ここにおいて、前記測定プロシージャは、前記１つまたは複数のトリガ条件が満たされる場合のみ実行され、
前記１つまたは複数のトリガ条件が、しきい値量の時間を超える１つまたは複数のチャネルの処理、またはしきい値数の復号試みを超える１つまたは複数のチャネルの処理のうちの少なくとも１つを備える、請求項１に記載の方法。
【請求項４】
リソースの前記追加のセットが少なくとも１つのブロードキャストリソースを備え、ここにおいて、前記ブロードキャストリソースが、物理ブロードキャストチャネル（ＰＢＣＨ）またはマスタ情報ブロック（ＭＩＢ）のうちの少なくとも１つを備え、
前記基準信号に対する前記ブロードキャストリソースの送信電力の差を補償するためにスケーリングを実行することをさらに備える、請求項１に記載の方法。
【請求項５】
リソースの前記追加のセットが少なくとも１つのブロードキャストリソースを備え、ここにおいて、前記ブロードキャストリソースが、物理ブロードキャストチャネル（ＰＢＣＨ）またはマスタ情報ブロック（ＭＩＢ）のうちの１つを備え、
前記ブロードキャストリソースと基準信号とが同じ電力で送信されるかどうか、
前記基準信号に対する前記ブロードキャストリソースの送信電力の差、または
送信電力の前記差が当てはまるブロードキャストリソースのタイプ、
のうちの少なくとも１つを示すシグナリングを受信することをさらに備える、請求項１に記載の方法。
【請求項６】
少なくとも１つの条件に基づいて、前記１つまたは複数の測定パラメータを決定することと、
前記測定プロシージャを実行することから取得された１つまたは複数のメトリックに基づいて、１つまたは複数の送信パラメータを選択することと、
をさらに備える、請求項１に記載の方法。
【請求項７】
前記少なくとも１つの条件は、前記ＵＥがアクセスプロシージャを実行したか否かに関係し、
前記１つまたは複数の測定パラメータがサンプリングレートを備え、
前記１つまたは複数の測定パラメータを決定することは、前記アクセスプロシージャの後に使用されるサンプリングレートに対して、前記アクセスプロシージャを実行するより前により高いサンプリングレートが使用されるように、サンプリングレートを選択することを備える、
請求項６に記載の方法。
【請求項８】
前記少なくとも１つの条件は、前記ＵＥがアクセスプロシージャを実行したか否かに関係し、
前記１つまたは複数の測定パラメータがサンプリングレートを備え、
前記１つまたは複数の測定パラメータを決定することは、前記アクセスプロシージャの後に使用される平均化プロシージャに対して、前記アクセスプロシージャを実行するより前により長い平均化期間が使用されるように、基準信号測定値がそれにわたって平均化される平均化期間を選択することを備える、
請求項６に記載の方法。
【請求項９】
前記平均化期間は、前記アクセスプロシージャの後に前記基準信号がそれにわたって測定されるサブフレームの数に対して、前記アクセスプロシージャを実行するより前により多数のサブフレームにわたって基準信号測定値が平均化されるように選択される、請求項８に記載の方法。
【請求項１０】
前記少なくとも１つの条件が、１つまたは複数の前の測定結果に少なくとも部分的に基づき、
前記１つまたは複数の測定パラメータがサンプリングレートを備え、
前記１つまたは複数の測定パラメータを決定することは、１つまたは複数の前の測定結果が、しきい値を下回る基地局に対する経路損失を示す場合、より低いサンプリングレートが使用されるように、サンプリングレートを選択することを備える、請求項６に記載の方法。
【請求項１１】
前記少なくとも１つの条件が、１つまたは複数の前の測定結果に少なくとも部分的に基づき、
前記少なくとも１つの条件が、前または現在の測定結果に少なくとも部分的に基づき、
前記決定することが、１つまたは複数の前の測定値に対する現在の基準信号受信電力（ＲＳＲＰ）測定値の差異に少なくとも部分的に基づいて、１つまたは複数の測定パラメータのセットを選択することを備える、請求項６に記載の方法。
【請求項１２】
前記少なくとも１つの条件が、１つまたは複数の前の測定結果に少なくとも部分的に基づき、前記１つまたは複数の送信パラメータを選択することが、
前または現在の基準信号受信電力（ＲＳＲＰ）測定値に基づいて、１つまたは複数の送信パラメータの異なるセットから１つまたは複数の送信パラメータのセットを選択することを備え、
１つまたは複数の送信パラメータの各セットが、ＲＳＲＰ測定値の範囲に関連付けられる、請求項６に記載の方法。
【請求項１３】
前記１つまたは複数の測定パラメータが、ＲＳＲＰ測定値の範囲間の境界へのＲＳＲＰ測定値の近接度に少なくとも部分的に基づいて決定される、請求項１２に記載の方法。
【請求項１４】
基地局によるワイヤレス通信のための方法であって、
ユーザ機器（ＵＥ）がチャネル状態を示すメトリックの測定を向上させるために使用するリソースの追加のセットを決定すること、ここにおいて、リソースの前記追加のセットが、前記メトリックを決定するために、前記ＵＥによって第１の測定プロシージャ中のデータまたはシステム情報送信のために使用されるリソースを含み、前記第１の測定プロシージャが、リソースの第１のセットに基づく、と、
リソースの前記追加のセットに関する情報を前記ＵＥに送信することと、
を備える、方法。
【請求項１５】
請求項１乃至１４のうちのいずれか一項に記載の方法を実行するように構成された少なくとも１つのプロセッサと、
前記少なくとも１つのプロセッサと結合されたメモリと、
を備える、ワイヤレス通信のための装置。
【手続補正２】
【補正対象書類名】明細書
【補正対象項目名】００８６
【補正方法】変更
【補正の内容】
【００８６】
[0093]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
ユーザ機器（ＵＥ）によるワイヤレス通信のための方法であって、
測定プロシージャ中の基準信号の測定に基づいて、チャネル状態を示す１つまたは複数のメトリックの測定を向上させるために使用するリソースの追加のセットを決定すること、ここにおいて、リソースの前記追加のセットが、前記１つまたは複数のメトリックを測定するために使用されるリソースの定義されたセットの他のものである、と、
前記基準信号と、リソースの前記追加のセットと、１つまたは複数の測定パラメータとに少なくとも基づいて、前記測定プロシージャを実行することと、
を備える、方法。
［Ｃ２］
前記１つまたは複数のメトリックが、信号対雑音（ＳＮＲ）測定、基準信号受信電力（ＲＳＲＰ）測定、または経路損失測定のうちの少なくとも１つを備える、Ｃ１に記載の方法。
［Ｃ３］
１つまたは複数のトリガ条件に基づいて、前記測定プロシージャをいつ実行すべきかを決定することをさらに備え、ここにおいて、前記測定プロシージャは、前記１つまたは複数のトリガ条件が満たされる場合のみ実行される、Ｃ１に記載の方法。
［Ｃ４］
前記１つまたは複数のトリガ条件が、しきい値量の時間を超える１つまたは複数のチャネルの処理、またはしきい値数の復号試みを超える１つまたは複数のチャネルの処理のうちの少なくとも１つを備える、Ｃ３に記載の方法。
［Ｃ５］
前記１つまたは複数のトリガ条件が、明示的または暗黙的ネットワーク指示を受信することを備える、Ｃ３に記載の方法。
［Ｃ６］
前記暗黙的ネットワーク指示が、物理レイヤチャネルのバンドリングまたは繰返しを用いて構成されることを備える、Ｃ５に記載の方法。
［Ｃ７］
リソースの前記追加のセットが追加の基準信号を備える、Ｃ１に記載の方法。
［Ｃ８］
リソースの前記追加のセットが、非ＭＢＳＦＮ（マルチキャストブロードキャスト単一周波数ネットワーク）サブフレーム中で送信される、Ｃ７に記載の方法。
［Ｃ９］
リソースの前記追加のセットが少なくとも１つのブロードキャストリソースを備え、ここにおいて、前記ブロードキャストリソースが、物理ブロードキャストチャネル（ＰＢＣＨ）またはマスタ情報ブロック（ＭＩＢ）のうちの少なくとも１つを備える、Ｃ１に記載の方法。
［Ｃ１０］
前記ブロードキャストリソースが正常に復号された場合、リソースの前記追加のセットに基づいて向上された測定を実行すると決定することをさらに備える、Ｃ９に記載の方法。
［Ｃ１１］
前記基準信号に対する前記ブロードキャストリソースの送信電力の差を補償するためにスケーリングを実行することをさらに備える、Ｃ９に記載の方法。
［Ｃ１２］
前記ブロードキャストリソースと基準信号とが同じ電力で送信されるかどうか、
前記基準信号に対する前記ブロードキャストリソースの送信電力の差、または
送信電力の前記差が当てはまるブロードキャストリソースのタイプ、
のうちの少なくとも１つを示すシグナリングを受信することをさらに備える、Ｃ９に記載の方法。
［Ｃ１３］
前記シグナリングが、システム情報ブロック中の１つまたは複数のビットを介して与えられる、Ｃ１２に記載の方法。
［Ｃ１４］
少なくとも１つの条件に基づいて、前記１つまたは複数の測定パラメータを決定することと、
前記測定プロシージャを実行することから取得された１つまたは複数のメトリックに基づいて、１つまたは複数の送信パラメータを選択することと、
をさらに備える、Ｃ１に記載の方法。
［Ｃ１５］
前記１つまたは複数の送信パラメータが、送信のために使用される送信電力または繰返し数のうちの少なくとも１つを備える、Ｃ１４に記載の方法。
［Ｃ１６］
前記少なくとも１つの条件は、前記ＵＥがアクセスプロシージャを実行したか否かに関係する、Ｃ１４に記載の方法。
［Ｃ１７］
前記１つまたは複数の測定パラメータがサンプリングレートを備え、
前記１つまたは複数の測定パラメータを決定することは、前記アクセスプロシージャの後に使用されるサンプリングレートに対して、前記アクセスプロシージャを実行するより前により高いサンプリングレートが使用されるように、サンプリングレートを選択することを備える、
Ｃ１６に記載の方法。
［Ｃ１８］
前記１つまたは複数の測定パラメータがサンプリングレートを備え、
前記１つまたは複数の測定パラメータを決定することは、前記アクセスプロシージャの後に使用される平均化プロシージャに対して、前記アクセスプロシージャを実行するより前により長い平均化期間が使用されるように、基準信号測定値がそれにわたって平均化される平均化期間を選択することを備える、
Ｃ１６に記載の方法。
［Ｃ１９］
前記平均化期間は、前記アクセスプロシージャの後に前記基準信号がそれにわたって測定されるサブフレームの数に対して、前記アクセスプロシージャを実行するより前により多数のサブフレームにわたって基準信号測定値が平均化されるように選択される、Ｃ１８に記載の方法。
［Ｃ２０］
前記少なくとも１つの条件が、１つまたは複数の前の測定結果に少なくとも部分的に基づく、Ｃ１４に記載の方法。
［Ｃ２１］
前記１つまたは複数の測定パラメータがサンプリングレートを備え、
前記１つまたは複数の測定パラメータを決定することは、１つまたは複数の前の測定結果が、しきい値を下回る基地局に対する経路損失を示す場合、より低いサンプリングレートが使用されるように、サンプリングレートを選択することを備える、
Ｃ２０に記載の方法。
［Ｃ２２］
前記少なくとも１つの条件が、前または現在の測定結果に少なくとも部分的に基づく、Ｃ２０に記載の方法。
［Ｃ２３］
前記決定することが、１つまたは複数の前の測定値対する現在の基準信号受信電力（ＲＳＲＰ）測定値の差異に少なくとも部分的に基づいて、１つまたは複数の測定パラメータのセットを選択することを備える、Ｃ２２に記載の方法。
［Ｃ２４］
前記１つまたは複数の送信パラメータを選択することが、
前または現在の基準信号受信電力（ＲＳＲＰ）測定値に基づいて、１つまたは複数の送信パラメータの異なるセットから１つまたは複数の送信パラメータのセットを選択すること、
を備える、Ｃ２０に記載の方法。
［Ｃ２５］
１つまたは複数の送信パラメータの各セットが、ＲＳＲＰ測定値の範囲に関連付けられる、Ｃ２４に記載の方法。
［Ｃ２６］
前記１つまたは複数の測定パラメータが、ＲＳＲＰ測定値の範囲間の境界へのＲＳＲＰ測定値の近接度に少なくとも部分的に基づいて決定される、Ｃ２５に記載の方法。
［Ｃ２７］
測定プロシージャ中の基準信号の測定に基づいて、チャネル状態を示す１つまたは複数のメトリックの測定を向上させるために使用するリソースの追加のセットを決定すること、ここにおいて、リソースの前記追加のセットが、前記１つまたは複数のメトリックを測定するために使用されるリソースの定義されたセットの他のものである、と、
前記基準信号と、リソースの前記追加のセットと、１つまたは複数の測定パラメータとに少なくとも基づいて、前記測定プロシージャを実行することと、
を行うように構成された少なくとも１つのプロセッサと、
前記少なくとも１つのプロセッサと結合されたメモリと、
を備える、ワイヤレス通信のための装置。
［Ｃ２８］
基地局（ＢＳ）によるワイヤレス通信のための方法であって、
測定プロシージャ中の基準信号の測定に基づいて、チャネル状態を示す１つまたは複数のメトリックのユーザ機器（ＵＥ）による測定を向上させるために使用するリソースの追加のセットを決定すること、ここにおいて、リソースの前記追加のセットが、前記１つまたは複数のメトリックを測定するために使用されるリソースの定義されたセットの他のものである、と、
リソースの前記追加のセットに関する情報を前記ＵＥに送信することと、
を備える、方法。
［Ｃ２９］
測定プロシージャ中の基準信号の測定に基づいて、チャネル状態を示す１つまたは複数のメトリックのユーザ機器（ＵＥ）による測定を向上させるために使用するリソースの追加のセットを決定すること、ここにおいて、リソースの前記追加のセットが、前記１つまたは複数のメトリックを測定するために使用されるリソースの定義されたセットの他のものである、と、
リソースの前記追加のセットに関する情報を前記ＵＥに送信することと、
を行うように構成された少なくとも１つのプロセッサと、
前記少なくとも１つのプロセッサと結合されたメモリと、
を備える、ワイヤレス通信のための装置。